(57)【要約】【課題】シフトアンドセレクトシャフトの軸方向に沿った操作力、特に、シフト操作力が低減されるシフト操作装置を提供すること。【解決手段】シフト又はセレクト操作に伴って軸方向に沿って変位自在及び軸線周りに回動自在なシフトアンドセレクトシャフト１と、シフトアンドセレクトシャフト１の周面を前記軸方向に変位自在及び前記軸線周りに回動自在に支持する一又は複数の軸受３と、シフトアンドセレクトシャフト１と一体的に変位及び揺動するレバー２と、レバー２に、前記軸方向に沿ってレバー２と一体的に変位し、レバー２の前記揺動を受けてレバー２と相対的に揺動するよう連結されたレバーハウジング４と、レバーハウジング４に支持されて、レバー２を介してシフトアンドセレクトシャフト１にシフトアンドセレクトシャフト１の径方向に沿ってディテント荷重Ｆを作用すると共に、前記軸方向に沿ってレバー２と一体的に変位自在なディテント機構５を有する。【選択図】図１
2010249223.tif 000002
【特許請求の範囲】
【請求項１】
シフト又はセレクト操作に伴って軸方向に沿って変位自在及び軸線周りに回動自在なシフトアンドセレクトシャフトと、
前記シフトアンドセレクトシャフトの周面を前記軸方向に沿って変位自在及び前記軸線周りに回動自在に支持する一又は複数の軸受と、
前記シフトアンドセレクトシャフトと一体的に変位及び揺動するレバーと、
前記レバーに、前記軸方向に沿って該レバーと一体的に変位し、該レバーの前記揺動を受けて該レバーと相対的に揺動するよう連結されたレバーハウジングと、
前記レバーハウジングに支持されて、前記レバーを介して前記シフトアンドセレクトシャフトに該シフトアンドセレクトシャフトの径方向に沿ってディテント荷重を作用すると共に、前記軸方向に沿って該レバーと一体的に変位自在なディテント機構と、
を有する、ことを特徴とするシフト操作装置。
【請求項２】
前記ディテント機構は、
前記レバーの端部に形成された球部と、
前記レバーハウジング内に形成され、前記球部が嵌合ないし球面結合する孔と、
前記孔内にストローク自在に装填されたプランジャと、
前記孔の底面と前記プランジャの背面との間に介装され、該プランジャを前記レバーに向って付勢することにより、前記シフトアンドセレクトシャフトに前記ディテント荷重を作用する弾性部材と、
を有する、ことを特徴とする請求項１記載のシフト操作装置。
【請求項３】
前記レバーハウジングに一体的に連結され、軸線周りに回動して複数のシフトフォークシャフトのいずれかと選択的に係合し、前記軸方向に沿って変位して係合している前記シフトフォークシャフトをシフトさせる、インナレバー体、を有する、ことを特徴とする請求項１又は２記載のシフト操作装置。
【発明の詳細な説明】
【技術分野】
【０００１】
本発明は、シフト操作装置に関し、特に、手動変速機又はそれをベースとする変速機をシフト及びセレクト操作するためのシフト操作装置に関する。
【背景技術】
【０００２】
特許文献１には、手動変速機のシフト操作装置が開示されている。
【０００３】
図２は、従来例に係るシフト操作装置の径方向断面図である。図３は、図２のＡ−Ａ部分断面拡大図である。
【０００４】
図２を参照すると、従来例に係るシフト操作装置は、シフトレバー１０１のシフト操作によって軸方向に変位し、シフトレバー１０１のセレクト操作によって軸線周りに回動するシフトアンドセレクトシャフト１０２と、シフトアンドセレクトシャフト１０２の外周面を支承する二つの軸受ブッシュ１０３，１０３と、シフト操作装置全体を覆うケーシング１０４に組み付けられ、シフトアンドセレクトシャフト１０２のその径方向に沿ってディテント荷重Ｆを直接作用してシフトアンドセレクトシャフト１０２を押さえ付けるディテント機構１１０と、を有している。
【０００５】
特に、図３を参照すると、ディテント機構１１０は、ケーシング１０４を加工ないし変形させて形成した孔１１１と、孔１１１の端部に装填されシフトアンドセレクトシャフトの外周面と摺動するボール１１２と、孔１１１内にストローク自在に装填されボール１１２と当接するプランジャ１１３と、ケーシング１０４を塞ぐため孔１１１に嵌合されたプラグ１１４と、プラグ１１４の上面とプランジャ１１３の背面との間に圧縮介装されたスプリング１１５と、を有している。
【先行技術文献】
【特許文献】
【０００６】
【特許文献１】特開平２−１５０５６９号公報（第１図参照）
【発明の概要】
【発明が解決しようとする課題】
【０００７】
従来例に係るシフト操作装置において、シフトアンドセレクトシャフト１０２にその径方向に沿って、軸受ブッシュ１０３，１０３は、軸受力Ｆ１，Ｆ２をそれぞれ作用し、ディテント機構は、軸受力Ｆ１，Ｆ２に対向してディテント荷重Ｆを作用する。したがって、シフト時、シフトアンドセレクトシャフト１０２の軸方向に沿って、すなわち、シフト操作方向に沿って発生する摩擦抵抗の合計は、摩擦係数をμとすると、μ（Ｆ＋Ｆ１＋Ｆ２）となる。このように、ディテント機構１１０は、シフト操作に対する抵抗源となっている。
【０００８】
また、ディテント機構１１０は、シフト操作装置の外郭であるケーシング１０４に組み付けられているため、シフト操作装置が肥大化し、又、ケーシング１０４を塞ぐためのプラグ１１４が必要となっている。
【０００９】
本発明の目的は、簡素な構造により、シフトアンドセレクトシャフトの軸方向に沿った操作力、特に、シフト操作力が低減されるシフト操作装置を提供することである。
【課題を解決するための手段】
【００１０】
本発明は、第１の視点において、シフト又はセレクト操作に伴って軸方向に沿って変位自在及び軸線周りに回動自在なシフトアンドセレクトシャフトと、前記シフトアンドセレクトシャフトの周面を前記軸方向に沿って変位自在及び前記軸線周りに回動自在に支持する一又は複数の軸受と、前記シフトアンドセレクトシャフトと一体的に変位及び揺動するレバーと、前記レバーに、前記軸方向に沿って該レバーと一体的に変位し、該レバーの前記揺動を受けて該レバーと相対的に揺動するよう連結されたレバーハウジングと、前記レバーハウジングに支持されて、前記レバーを介して前記シフトアンドセレクトシャフトに該シフトアンドセレクトシャフトの径方向に沿ってディテント荷重を作用すると共に、前記軸方向に沿って該レバーと一体的に変位自在なディテント機構を有するシフト操作装置を提供する。
【発明の効果】
【００１１】
（１）シフト操作により、シフトアンドセレクトシャフトが軸方向に沿って変位する場合を例にして、本発明の効果を説明する。シフト操作時、シフトアンドセレクトシャフト及びレバーが軸方向に沿って変位すると、シフトアンドセレクトシャフトと軸受の間に摩擦抵抗が発生する。このとき、ディテント機構とレバーの間には、結局、ディテント機構とシフトアンドセレクトシャフトの間には、摩擦抵抗が発生しない。その理由は、ディテント機構は、レバー及びシフトアンドセレクトシャフトと一体的に軸方向に沿って変位するよう、レバーハウジングに支持されているからである。
【００１２】
このように、本発明によれば、ディテント荷重が、シフトアンドセレクトシャフトの軸方向ないしシフト方向に沿った摩擦抵抗に変換されないため、シフトアンドセレクトシャフトに直接ディテント力が作用する従来のシフト操作装置と比べて、シフトアンドセレクトシャフトのシフト方向に沿った摩擦抵抗を半減させることが可能である。かくして、本発明によれば、シフト操作力が軽減される。
【００１３】
（２）本発明によれば、ディテント機構がレバーハウジングに支持ないし設けられるため、ディテント機構を、シフト操作装置の外郭を構成するケーシングに設ける場合に比べて、シフト操作装置内のスペースが有効理由されて、装置の肥大化が防止される。また、レバーハウジングの構造を部分的に有効利用することにより、プラグを使用しなくても、ディテント機構、特に、その弾性部材の設置が可能である。
【００１４】
（３）本発明によるディテント機構は、シフトアンドセレクトシャフトをその径方向に沿って付勢することにより、シフトアンドセレクトシャフトと軸受の間のガタをなくし、シフトアンドセレクトシャフトの上流に配置され、利用者がシフト又はセレクト操作するシフトレバーに“びびり”が伝達されることを防止している。
【図面の簡単な説明】
【００１５】
【図１】（Ａ）は、本発明の一実施例に係るシフト操作装置の径方向断面図であり、（Ｂ）は、（Ａ）のＢ−Ｂ階段状断面図である。
【図２】従来例に係るシフト操作装置の径方向断面図である。
【図３】図２のＡ−Ａ部分断面拡大図である。
【発明を実施するための形態】
【００１６】
本発明の実施の形態において、前記ディテント機構は、前記レバーの端部に形成された球部と、前記レバーハウジング内に形成され、前記球部が嵌合ないし球面結合する孔と、前記孔内にストローク自在に装填されたプランジャと、前記孔の底面と前記プランジャの背面との間に介装され、該プランジャを前記レバーに向って付勢することにより、前記シフトアンドセレクトシャフトに前記ディテント荷重を作用する弾性部材と、を有している。
【００１７】
本発明の実施の形態に係るシフト操作装置は、前記レバーハウジングに連結され、軸線周りに回動して複数のシフトフォークシャフトのいずれかと選択的に係合し、前記軸方向に沿って変位して係合している前記シフトフォークシャフトをシフトさせる、インナレバー体、を有する。前記レバーは、前記シフトアンドセレクトシャフトと、前記インナレバー体との径方向間に配置され、前記シフトアンドセレクトシャフトと、前記インナレバー体の間で、シフト及びセレクト操作力を伝達する。
【００１８】
本発明の実施の形態に係るシフト操作装置は、利用者がシフト及びセレクト操作して、或いは、利用者のシフト又はセレクト操作意思に応じて、揺動自在なシフトレバーと、前記シフトレバーと前記シフトアンドセレクトシャフトを連結する連結部材と、を有する。
【００１９】
本発明の実施の形態において、レバーは、シフトアンドセレクトシャフトに、ねじ等により取り付けられ、或いは、一体に形成される。レバーは、シフトアンドセレクトシャフトに従動する。
【００２０】
本発明の実施の形態に係るシフト操作装置は、シフト操作に伴って、シフトアンドセレクトシャフトが該シフトアンドセレクトシャフトないし装置の軸方向に沿って変位する。
【００２１】
本発明の実施の形態において、ディテント機構の弾性部材には、コイルばね等のスプリング、弾性樹脂などが用いられる。
【００２２】
本発明の実施の形態において、シフトアンドセレクトシャフトの軸受には、筒状の樹脂性ブッシュ、又は、スライドボールベアリング等が用いられる。
【００２３】
本発明の実施の形態に係るシフト操作装置は、手動変速機、手動変速機をベースとした半自動変速機、場合によっては、自動変速機に適用することができる。
【実施例】
【００２４】
以下図面を参照して、本発明の一実施例を説明する。図１（Ａ）は、本発明の一実施例に係るシフト操作装置の径方向断面図であり、図１（Ｂ）は、図１（Ａ）のＢ−Ｂ階段状断面図である。
【００２５】
図１（Ａ）及び図１（Ｂ）を参照すると、本発明の一実施例に係るシフト操作装置は、シフト又はセレクト操作に伴って軸方向に沿って変位自在及び軸線周りに回動自在なシフトアンドセレクトシャフト１と、シフトアンドセレクトシャフト１の外周面を前記軸方向に沿って変位自在及び前記軸線周りに回動自在に支持する一又は複数の軸受３と、シフトアンドセレクトシャフト１と一体的に変位及び揺動するレバー２と、レバー２に、前記軸方向に沿ってレバー２と一体的に変位し、レバー２の揺動を受けてレバー２と相対的に揺動するよう連結されたレバーハウジング４と、レバーハウジング４に支持されて、レバー２を介してシフトアンドセレクトシャフト１にシフトアンドセレクトシャフト１の径方向に沿ってディテント荷重Ｆを作用すると共に、前記軸方向に沿ってレバー２と一体的に変位自在なディテント機構５を有している。
【００２６】
シフトアンドセレクトシャフト１と、軸受３，３との間には、径方向に作用する軸受力Ｆ１，Ｆ２が発生している。ディテント機構５は、レバー２を介して、シフトアンドセレクトシャフト１に、シフトアンドセレクトシャフト１の径方向に沿って、軸受力Ｆ１，Ｆ２に対抗するディテント荷重Ｆを常時作用している。
【００２７】
特に、図１（Ｂ）を参照すると、ディテント機構５は、レバー２の端部に形成された球部２ａと、レバーハウジング４内に形成され、球部２ａが球面結合ないし嵌合する孔５ａと、孔５ａ内にストローク自在に装填されたプランジャ５ｂと、孔５ａの底面とプランジャ５ｂの背面との間に介装され、プランジャ５ｂをレバー２に向って付勢することにより、シフトアンドセレクトシャフト１にディテント荷重Ｆを作用するコイルばね（弾性部材）５ｃを有している。コイルばね５ｃは、レバー２を介して、シフトアンドセレクトシャフト１に、ディテント荷重Ｆを常時作用している。
【００２８】
本実施例によれば、コイルばね５ｃは、レバーハウジング４に形成された孔５ａの底面をばね受けとして利用することができ、又、ディテント機構５は、本実施例のシフト操作装置の外郭を形成するケーシング９の内側に配置されているため、孔５ａを塞ぐプラグが不要となる。
【００２９】
レバー２は、シフトアンドセレクトシャフト１に従動して、シフトアンドセレクトシャフト１と一体的に運動し、かつ球部２ａが孔５ａと球面結合することにより、シフトアンドセレクトシャフト１、レバー２、レバーハウジング４及びそれに支持されたディテント機構５は、前記軸方向に沿って、一体的に変位（シフト）する。
【００３０】
レバーハウジング４には、インナレバー体６が一体的に連結されている。インナレバー体６は、軸線周りに回動して複数のシフトフォークシャフト（不図示）のいずれかと選択的に係合し、前記軸方向に沿って変位して係合しているシフトフォークシャフトをシフトさせる。
【００３１】
シフトアンドセレクトシャフト１に操作力を伝達する手段として、本発明の一実施例に係るシフト操作装置は、例えば、シフト及びセレクト操作されて揺動自在なシフトレバー７（図２のシフトレバー１０１参照）と、シフトレバー７に球面結合すると共に、シフトアンドセレクトシャフト１に一体的に連結される連結部材８を有することができる。
【００３２】
以上説明した本発明の一実施例に係るシフト操作装置の機能を説明する。引き続き、図１（Ａ）及び図１（Ｂ）を参照すると、本発明の一実施例に係るシフト操作装置において、利用者が、シフトレバー７をシフト操作すると、シフトアンドセレクトシャフト１は、軸受３，３に支持されながら、前記軸方向に沿って変位する。シフトアンドセレクトシャフト１と一体のレバー２も、前記軸方向に沿って変位する。
【００３３】
ここで、レバーハウジング４は、前記軸方向に沿ってはレバー２と一体に変位し、ディテント機構５は、レバーハウジング４に支持されて一体的に変位する。よって、ディテント機構５は、レバー２及びシフトアンドセレクトシャフト１と、前記軸方向に沿って一緒に変位するから、ディテント機構５とレバー２の間、結局、ディテント機構５とシフトアンドセレクトシャフト１の間には、前記径方向に沿ってディテント荷重Ｆが作用しているにもかかわらず、前記軸方向に沿って作用する摩擦抵抗は発生しない。
【００３４】
そして、インナレバー体６は、レバーハウジング４と共に、前記軸方向に沿って変位して、係合しているシフトアンドセレクトシャフト（不図示）をシフトさせる。
【００３５】
かくして、シフト操作時、本実施例のシフト操作装置が、シフト操作力に対抗して発生する摩擦力Ｍｆは、二つの軸受３，３がそれぞれ発生する軸受力Ｆ１，Ｆ２と摩擦係数μの積の和のみ、すなわち、Ｍｆ＝μ（Ｆ１＋Ｆ２）となる。よって、本実施例のシフト操作装置によれば、図２及び図３に示した従来例に比べて、シフト操作抵抗を低減ないし半減することが可能となる。
【００３６】
利用者が、シフトレバー７をセレクト操作した場合には、シフトアンドセレクトシャフト１は、その軸線周りに回動する。レバー２はシフトアンドセレクトシャフト１と共に揺動する。レバーハウジング４は、レバー２と相対的に揺動する。レバーハウジング４に支持されているディテント機構５は、レバーハウジング４と一体的に揺動する。インナレバー体６はレバーハウジング４と一体的に揺動して、所定のシフトフォークシャフト（不図示）と係合する。
【産業上の利用可能性】
【００３７】
本発明によるシフト操作装置は、手動変速機又は手動変速機をベースとした半自動変速機に好適に適用される。
【符号の説明】
【００３８】
１  シフトアンドセレクトシャフト
２  レバー
２ａ  球部
３  軸受（軸受ブッシュ）
４  レバーハウジング
５  ディテント機構
５ａ  孔
５ｂ  プランジャ
５ｃ  コイルばね（弾性部材）
６  インナレバー体
７  シフトレバー
８  連結部材
９  ケーシング（シフト操作装置全体のケーシング）
Ｆ  ディテント荷重
Ｆ１，Ｆ２  軸受力
【図１】
2010249223.tif 000003
【図２】
2010249223.tif 000004
【図３】
2010249223.tif 000005